【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
上部に螺状部が形成され、中間部に環状顎部が形成され、下部に環状頸部がそれぞれ形成された口部を有する容器体の該螺状部に螺着されるキャップ部、及び、該キャップ部の下部に千切破断部を介して連結され、該環状顎部に折返し状に係止可能な弾性片が設けられ、該環状顎部と該環状頸部との間に回転自在に設けられ、開栓表示機能を奏するリング部からなり、上記リング部の回転操作により上記キャップ部の不測の開栓回転を阻止するロック機構を備えてなり、上記ロック機構として、上記リング部の外周面に先端部を楔状に形成した突起部を配設し、上記キャップ部に該リング部の回転操作により該突起部が嵌着してキャップ部の不測の開栓回転を阻止するロック状態とすると共に該突起部が離脱して該ロック状態が解除される解除状態とする突起嵌脱部を設けてなることを特徴とするキャップ。
【請求項２】
上記突起部及び上記突起嵌脱部は、それぞれ対向して二個一対設けられていることを特徴とする請求項１記載のキャップ。
【請求項３】
上記突起嵌脱部として、上記キャップ部の外周面に垂下部を片持状に垂設し、該垂下部に上記突起部が嵌着される嵌脱孔部を形成してなることを特徴とする請求項１又は２記載のキャップ。
【請求項４】
上記垂下部の下面を上記キャップ部の閉栓回転方向前方に向かうに従って次第に下る傾斜下面に形成すると共に上記突起部の上面を上記傾斜下面に対面して上記キャップ部の閉栓回転方向前方に向かうに従って次第に下る傾斜上面に形成してなることを特徴とする請求項３記載のキャップ。
【請求項５】
上記リング部に規制突部を配設し、上記キャップ部に該規制突部に当接して該キャップ部の開栓回転時に上記突起嵌脱部への上記突起部の嵌着を防ぐ当接部を配設してなることを特徴とする請求項１〜４のいずれか１項に記載のキャップ。
【請求項６】
上記キャップ部の上記垂下部を除く周囲部分に垂下周壁部を形成してなることを特徴とする請求項３〜５のいずれか１項に記載のキャップ。
【請求項７】
上記リング部に上記突起嵌脱部の嵌脱孔部が掛止可能な掛止部を形成してなることを特徴とする請求項３〜５のいずれか１項に記載のキャップ。
【請求項８】
上記請求項１〜７のいずれか１項に記載のキャップを備えてなる容器。
【手続補正２】
【補正対象書類名】明細書
【補正対象項目名】全文
【補正方法】変更
【補正の内容】
【発明の詳細な説明】
【発明の名称】キャップ及びそれを備えた容器
【技術分野】
【０００１】
本発明は例えばペットボトルなどの合成樹脂製容器や金属製の容器等の口部に用いられるキャップ及びそれを備えた容器に関するものである。
【背景技術】
【０００２】
従来、この種のキャップ及びそれを備えた容器として、上部に螺状部が形成され、中間部に環状顎部が形成され、下部に環状頸部がそれぞれ形成された口部を有する容器体の螺状部に螺着されるキャップ部、及び、キャップ部の下部に千切破断部を介して連結され、環状顎部に折返し状に係止可能な弾性片を有して開栓表示機能をもつリング部からなる構造のものが知られている。
【０００３】
しかして、キャップ部の開栓回転によりキャップ部からリング部が千切破断部で切り離され、リング部が容器体の口部に残留し、リング部がタンパーエビデンスバンドとして開栓表示機能を果たすことになる。
【先行技術文献】
【特許文献】
【０００４】
【特許文献１】特開２０１１−１８４０９６
【特許文献２】実公昭５７−００９２４０号
【発明の概要】
【発明が解決しようとする課題】
【０００５】
しかしながら上記従来構造の場合、初期の閉栓（出荷時の閉栓状態）から開封した後の閉栓（再封時の閉栓状態）後において、誤って、上記キャップ部を開栓回転させてしまうおそれがあり、この不測の開栓により、飲料の炭酸抜けによる風味の低下が生じたり、或いは、液剤の揮発や液漏れにより幼児や老人に対する安全性が低下したりすることがあるという不都合を有している。
【課題を解決するための手段】
【０００６】
本発明はこのような不都合を解決することを目的とするもので、本発明のうちで、請求項１記載の発明は、上部に螺状部が形成され、中間部に環状顎部が形成され、下部に環状頸部がそれぞれ形成された口部を有する容器体の該螺状部に螺着されるキャップ部、及び、該キャップ部の下部に千切破断部を介して連結され、該環状顎部に折返し状に係止可能な弾性片が設けられ、該環状顎部と該環状頸部との間に回転自在に設けられ、開栓表示機能を奏するリング部からなり、上記リング部の回転操作により上記キャップ部の不測の開栓回転を阻止するロック機構を備えてなり、上記ロック機構として、上記リング部の外周面に先端部を楔状に形成した突起部を配設し、上記キャップ部に該リング部の回転操作により該突起部が嵌着してキャップ部の不測の開栓回転を阻止するロック状態とすると共に該突起部が離脱して該ロック状態が解除される解除状態とする突起嵌脱部を設けてなることを特徴とするキャップにある。
【０００７】
又、請求項２記載の発明は、上記突起部及び上記突起嵌脱部は、それぞれ対向して二個一対設けられていることを特徴とするものである。
【０００８】
又、請求項３記載の発明は、上記突起嵌脱部として、上記キャップ部の外周面に垂下部を片持状に垂設し、該垂下部に上記突起部が嵌着される嵌脱孔部を形成してなることを特徴とするものであり、又、請求項４記載の発明は、上記垂下部の下面を上記キャップ部の閉栓回転方向前方に向かうに従って次第に下る傾斜下面に形成すると共に上記突起部の上面を上記傾斜下面に対面して上記キャップ部の閉栓回転方向前方に向かうに従って次第に下る傾斜上面に形成してなることを特徴とするものであり、又、請求項５記載の発明は、上記リング部に規制突部を配設し、上記キャップ部に該規制突部に当接して該キャップ部の開栓回転時に上記突起嵌脱部への上記突起部の嵌着を防ぐ当接部を配設してなることを特徴とするものである。
【０００９】
又、請求項６記載の発明は、上記キャップ部の上記垂下部を除く周囲部分に垂下周壁部を形成してなることを特徴とするものであり、又、請求項７記載の発明は、上記リング部に上記突起嵌脱部の嵌脱孔部が掛止可能な掛止部を形成してなることを特徴とするものである。
【００１０】
又、請求項８記載の発明は、上記請求項１〜７のいずれか１項に記載のキャップを備えてなる容器にある。
【発明の効果】
【００１１】
本発明は上述の如く、請求項１又は請求項８記載の発明にあっては、上部に螺状部が形成され、中間部に環状顎部が形成され、下部に環状頸部がそれぞれ形成された口部を有する容器体の螺状部に螺着されるキャップ部、及び、キャップ部の下部に千切破断部を介して連結され、環状顎部に折返し状に係止可能な弾性片が設けられ、環状顎部と環状頸部との間に回転自在に設けられ、開栓表示機能を奏するリング部からなり、上記リング部の回転操作により上記キャップ部の不測の開栓回転を阻止するロック機構を備えてなるから、ロック機構の存在により、閉栓後において、誤って、上記キャップ部を開栓回転させてしまうことを未然に防ぐことができ、この不測の開栓により、飲料の炭酸抜けによる風味の低下を防ぐことができ、開栓後における品質の維持を図ることができ、或いは、液剤の揮発や液漏れを防ぐことができ、幼児や老人に対する安全性を高めることができ、ロック操作及び解除操作は、上記リング部の回転操作により行う構造であるから、ロック操作及び解除操作を容易に行うことができ、使用の利便性並びに各種の容器体に対する適用の融通性を高めることができ、かつ、上記ロック機構として、上記リング部の外周面に先端部を楔状に形成した突起部を配設し、上記キャップ部にリング部の回転操作により突起部が嵌着してキャップ部の不測の開栓回転を阻止するロック状態とすると共に突起部が離脱してロック状態が解除される解除状態とする突起嵌脱部を設けてなるから、ロック機構の構造を簡素化することができると共に製作を容易に行うことができる。
【００１２】
又、請求項２記載の発明にあっては、上記突起部及び上記突起嵌脱部は、それぞれ、対向して二個一対設けられているから、キャップ部のロック状態の安定化、ロック操作及び解除操作の円滑化を図ることができる。
【００１３】
又、請求項３記載の発明にあっては、上記突起嵌脱部として、上記キャップ部の外周面に垂下部を片持状に垂設し、垂下部に上記突起部が嵌着される嵌脱孔部を形成してなるから、突起部と嵌脱孔部との嵌脱を容易に行うことができ、ロック操作及び解除操作の円滑化を図ることができ、又、請求項４記載の発明にあっては、上記垂下部の下面を上記キャップ部の閉栓回転方向前方に向かうに従って次第に下る傾斜下面に形成すると共に上記突起部の上面を上記傾斜下面に対面して上記キャップ部の閉栓回転方向前方に向かうに従って次第に下る傾斜上面に形成してなるから、キャップ部の閉栓回転を円滑に行うことができ、それだけ、キャップ部の開栓及び閉栓を円滑に行うことができ、又、請求項５記載の発明にあっては、上記リング部に規制突部を配設し、上記キャップ部に規制突部に当接してキャップ部の開栓回転時に上記突起嵌脱部への上記突起部の嵌着を防ぐ当接部を配設してなるから、規制突部と当接部との当接により上記突起嵌脱部への上記突起部の嵌着を防いで、キャップ部の開栓回転を円滑に行うことができる。
【００１４】
又、請求項６記載の発明にあっては、上記キャップ部の上記垂下部を除く周囲部分に垂下周壁部を形成しているから、キャップ部の垂下部及び垂下周壁部が環状に連続して存在することにより、キャップ部に垂下部が垂設されている特異な形態に比べ、全体形態から生ずる違和感を無くすことができ、又、請求項７記載の発明にあっては、上記リング部の掛止部に上記突起嵌脱部の嵌脱孔部が掛止可能な掛止部を形成しているから、開栓したキャップ部を掛け止めすることができ、キャップ部の紛失を防ぐことができる。
【図面の簡単な説明】
【００１５】
【図１】本発明の実施の第一形態例の斜視図である。
【図２】本発明の実施の第一形態例のキャップ部の側面図である。
【図３】本発明の実施の第一形態例のキャップ部の側断面図である。
【図４】本発明の実施の第一形態例のリング部の側断面図である。
【図５】本発明の実施の第一形態例のリング部の平面図である。
【図６】本発明の実施の第一形態例の出荷時の部分側断面図である。
【図７】本発明の実施の第一形態例の図６の平断面図である。
【図８】本発明の実施の第一形態例の開栓過程の側面図である。
【図９】本発明の実施の第一形態例の図８の平断面図である。
【図１０】本発明の実施の第一形態例の開栓過程の側面図である。
【図１１】本発明の実施の第一形態例の図１０の平断面図である。
【図１２】本発明の実施の第一形態例の開栓斜視図である。
【図１３】本発明の実施の第一形態例の閉栓過程の側面図である。
【図１４】本発明の実施の第一形態例の図１３の平断面図である。
【図１５】本発明の実施の第一形態例の閉栓過程の側面図である。
【図１６】本発明の実施の第一形態例の閉栓過程の側面図である。
【図１７】本発明の実施の第一形態例の閉栓過程の側面図である。
【図１８】本発明の実施の第一形態例の閉栓過程の側面図である。
【図１９】本発明の実施の第一形態例のロック過程の側面図である。
【図２０】本発明の実施の第一形態例の図１９の平断面図である。
【図２１】本発明の実施の第一形態例のロック時の側面図である。
【図２２】本発明の実施の第一形態例の図２１の平断面図である。
【図２３】本発明の実施の第一形態例の図２１の部分縦断面図である。
【図２４】本発明の実施の第一形態例のロック解除過程の側面図である。
【図２５】本発明の実施の第一形態例の図２４の平断面図である。
【図２６】本発明の実施の第二形態例のキャップ部の斜視図である。
【図２７】本発明の実施の第二形態例のキャップ部の側面図である。
【図２８】本発明の実施の第二形態例のキャップ部の平面図である。
【図２９】本発明の実施の第二形態例の側断面図である。
【図３０】本発明の実施の第三形態例のリング部の斜視図である。
【図３１】本発明の実施の第三形態例の側断面図である。
【発明を実施するための形態】
【００１６】
図１乃至図３１は本発明の実施の形態例を示し、図１乃至図２５は第一形態例、図２６乃至図２９は第二形態例、図３０、図３１は第三形態例である。
【００１７】
図１乃至図２５の第一形態例において、図１乃至図５の如く、大別して、容器体１の口部Ｋに螺着されるキャップ部２及びリング部３からなり、容器体１にあっては、口部Ｋの上部に螺状部１ａが形成され、中間部に環状顎部１ｂが形成され、下部に環状頸部１ｃがそれぞれ形成され、この口部Ｋを有する容器体１の螺状部１ａにキャップ部２が螺着され、キャップ部２の内周面に雌螺子部２ｃが形成され、キャップ部２の上壁内面に内鍔部２ｄが形成され、このキャップ部２の下部に千切破断部Ｓを介してリング部３が連結され、リング部３にあっては、環状顎部１ｂの底周部に先端部が折返し状に係止可能な弾性片３ａが設けられ、環状顎部１ｂと環状頸部１ｃとの間に回転自在に設けられ、キャップ部２の開栓回転Ｌによりキャップ部２からリング部３が千切破断部Ｓで切り離され、リング部３が容器体１の口部Ｋに残留し、リング部３がタンパーエビデンスバンド（改変されたときの証拠）として開栓表示機能を奏する。
【００１８】
４はロック機構であって、上記リング部３の回転操作Ｍにより上記キャップ部２の不測の開栓回転Ｌを阻止する構造を備えてなり、この場合、図１乃至図５の如く、上記リング部３の外周面に先端部５ａを楔状に形成した突起部５を配設し、上記キャップ部２にリング部３の回転操作Ｍにより突起部５が嵌着してキャップ部２の不測の開栓回転Ｌを阻止するロック状態とすると共に突起部５が離脱してロック状態が解除される解除状態とする突起嵌脱部６を設けて構成している。
【００１９】
又、この場合、上記突起部５及び上記突起嵌脱部６は、それぞれ対向して二個一対設けられ、この場合、リング部３の四等配位置に突起部５及び上記突起嵌脱部６を交互に配置形成している。
【００２０】
又、この場合、上記突起嵌脱部６として、上記キャップ部２の外周面に垂下部２ａを片持状に垂設し、垂下部２ａに上記突起部５が嵌着される嵌脱孔部６ａを形成し、嵌脱孔部６ａの回転方向両側部の内面に薄肉溝部Ｈを形成してなり、又、この場合、図１５、図１６の如く、キャップ部２の螺状部１ａのリード角を考慮して、上記垂下部２ａの下面を上記キャップ部２の閉栓回転Ｒ方向前方に向かうに従って次第に下る傾斜下面６ｂに形成すると共に上記突起部５の上面を上記傾斜下面６ｂに対面して上記キャップ部２の閉栓回転Ｒ方向前方に向かうに従って次第に下る傾斜上面５ｂに形成して構成している。この場合、この傾斜上面５ｂと上記傾斜下面６ｂとは互いに密着するおそれがある平行な面とはされてはおらず、開き角θで対面するように形成されている。
【００２１】
又、この場合、図１、図８の如く、上記リング部３に規制突部７を配設し、上記キャップ部２に規制突部７に当接してキャップ部２の開栓回転Ｌ時に上記突起嵌脱部６への上記突起部５の嵌着を防ぐ当接部８を配設して構成している。
【００２２】
この実施の第一形態例は上記構成であるから、開栓過程について、図６乃至図１２を参照して説明すると、初期状態（商品購入時）において、図６、図７の如く、上記キャップ部２及び上記リング部３は容器体１の口部Ｋに装着されており、この初期状態において、キャップ部２を開栓回転Ｌ（平面からみて反時計廻り）させると、キャップ部２は螺状部１ａの螺着回転により上昇し、千切破断部Ｓによりキャップ部２とリング部３とが切り離され、図８、図９の如く、回転途中において、突起嵌脱部６の当接部８にリング部３の規制突部７が当接し、開栓回転Ｌによりリング部３はキャップ部２と連れ廻りされ、キャップ部２の開栓回転Ｌ時に上記突起嵌脱部６への上記突起部５の嵌着を防ぐことになり、更なる開栓回転Ｌにより、図１０、図１１の如く、当接部８から規制突部７が離反し、キャップ部２の垂下部２ａの側面に突起部５の先端部５ａが当接し、キャップ部２の開栓回転Ｌによりリング部３は連れ廻りされ、図１２の如く、リング部３は容器体１の口部Ｋに残留し、キャップ部２は口部Ｋから離脱して開栓過程が完了することになる。
【００２３】
この開栓過程終了からの閉栓過程について、図１３乃至図１８を参照して説明すると、図１３、図１４の如く、キャップ部２を閉栓回転Ｒ（平面からみて時計廻り）させると、回転途中において、突起部５の基端部に垂下部２ａの側面が当接し、リング部３はキャップ部２の閉栓回転Ｒに連れ廻りされ、この際、螺状部１ａのリード角の存在により、図１５から図１６の如く、嵌脱突起部５と突起部５とが接触しない状態でキャップ部２は閉栓回転Ｒしながら降下し、あるいは、図１７の如く、嵌脱突起部６と突起部５とが折衝したとしても、図１８の如く、リング部３はキャップ部２と連れ廻りして降下することになり、図６、図７の如く、キャップ部２の上壁内面と容器体１の口部Ｋの上端面とが衝接し合い、キャップ部２とリング部３とは千切破断部Ｓを境に対向して閉栓過程が終了する。
【００２４】
そして、この閉栓過程終了後におけるキャップ部２の不測の開栓回転Ｌを阻止するロック過程及び解除過程について、図１９乃至図２５を参照して説明すると、図１９、図２０の如く、リング部３を回転操作Ｍ（平面からみて時計廻り）させると、リング部３の突起部５は突起嵌脱部６の薄肉溝部Ｈを経て嵌脱孔部６ａへと進入し、このとき突起嵌脱部６の薄肉溝部Ｈは弾性拡張変形し、及び、突起嵌脱部６が形成された垂下部２ａの片持状態により弾性反り変形し、図２１、図２２、図２３の如く、突起部５は突起嵌脱部６に嵌着されてロック状態とされ、このロック状態において、キャップ部２を、図８に示す開栓回転Ｌさせようとすると、リード角の存在によりキャップ部２は開栓回転Ｌしつつ上昇し、これによりキャップ部２に形成された突起嵌脱部６の嵌脱孔部６ａの下内面と突起部５の底面とが衝接し合い、キャップ部２の開栓回転Ｌが阻止されることになる。
【００２５】
そして、このロック状態の解除過程において、図２４、図２５の如く、リング部３を回転操作Ｍ（平面からみて時計廻り）させると、突起部５は突起嵌脱部６の嵌脱孔部６ａから薄肉溝部Ｈを経て離脱し、このとき、突起嵌脱部６の薄肉溝部Ｈは弾性拡張変形し、及び、突起嵌脱部６が形成された垂下部２ａの片持状態により弾性反り変形し、この突起嵌脱部６からの突起部５の離脱により、図２１、図２２、図２３に示すロック状態から図６、図７に示す解除状態となる。
【００２６】
したがって、上部に螺状部１ａが形成され、中間部に環状顎部１ｂが形成され、下部に環状頸部１ｃがそれぞれ形成された口部Ｋを有する容器体１の螺状部１ａに螺着されるキャップ部２、及び、キャップ部２の下部に千切破断部Ｓを介して連結され、環状顎部１ｂに折返し状に係止可能な弾性片３ａが設けられ、環状顎部１ｂと環状頸部１ｃとの間に回転自在に設けられ、開栓表示機能を奏するリング部３からなり、上記リング部３の回転操作Ｍにより上記キャップ部２の不測の開栓回転Ｌを阻止するロック機構４を備えてなるから、ロック機構４の存在により、閉栓後において、誤って、上記キャップ部２を開栓回転Ｌさせてしまうことを未然に防ぐことができ、この不測の開栓により、飲料の炭酸抜けによる風味の低下を防ぐことができ、開栓後における品質の維持を図ることができ、或いは、液剤の揮発や液漏れを防ぐことができ、幼児や老人に対する安全性を高めることができ、ロック操作及び解除操作は、上記リング部３の回転操作Ｍにより行う構造であるから、ロック操作及び解除操作を容易に行うことができ、使用の利便性並びに各種の容器体１に対する適用の融通性を高めることができる。
【００２７】
この場合、上記ロック機構４として、上記リング部３の外周面に先端部５ａを楔状に形成した突起部５を配設し、上記キャップ部２にリング部３の回転操作Ｍにより突起部５が嵌着してキャップ部２の不測の開栓回転Ｌを阻止するロック状態とすると共に突起部５が離脱してロック状態が解除される解除状態とする突起嵌脱部６を設けてなるから、ロック機構４の構造を簡素化することができると共に製作を容易に行うことができ、又、この場合、上記突起部５及び上記突起嵌脱部６は、それぞれ対向して二個一対設けられているから、キャップ部２のロック状態の安定化、ロック操作及び解除操作の円滑化を図ることができる。
【００２８】
又、この場合、上記突起嵌脱部６として、上記キャップ部２の外周面に垂下部２ａを片持状に垂設し、垂下部２ａに上記突起部５が嵌着される嵌脱孔部６ａを形成してなるから、突起部５と嵌脱孔部６ａとの嵌脱を容易に行うことができ、ロック操作及び解除操作の円滑化を図ることができ、又、この場合、上記垂下部２ａの下面を上記キャップ部２の閉栓回転Ｒ方向前方に向かうに従って次第に下る傾斜下面６ｂに形成すると共に上記突起部５の上面を上記傾斜下面６ｂに対面して上記キャップ部２の閉栓回転Ｒ方向前方に向かうに従って次第に下る傾斜上面５ｂに形成してなるから、キャップ部２の閉栓回転Ｒを円滑に行うことができ、それだけ、キャップ部２の開栓及び閉栓を円滑に行うことができ、又、この場合、上記リング部３に規制突部７を配設し、上記キャップ部２に規制突部７に当接してキャップ部２の開栓回転Ｌ時に上記突起嵌脱部６への上記突起部５の嵌着を防ぐ当接部８を配設してなるから、規制突部７と当接部８との当接により上記突起嵌脱部６への上記突起部５の嵌着を防いで、キャップ部２の開栓回転Ｌを円滑に行うことができる。
【００２９】
図２６乃至図２９の第二形態例は別例構造を示し、この場合、上記第一形態例の上記キャップ部２の上記垂下部２ａを除く周囲部分に垂下周壁部２ｂ・２ｂを形成している。
【００３０】
この第二形態例にあっては、上記キャップ部２の上記垂下部２ａを除く周囲部分に垂下周壁部２ｂ・２ｂを形成しているから、キャップ部２の垂下部２ａ・２ａ及び垂下周壁部２ｂ・２ｂが環状に連続して存在することにより、キャップ部２に垂下部２ａが垂設されている特異な形態に比べ、全体形態から生ずる違和感を無くすことができ、又、上記垂下部２ａ・２ａ及び垂下周壁部２ｂ・２ｂの直径をリング部３の直径より大きくすることによりリング部３の回転操作を容易に行うことができる。
【００３１】
図３０乃至図３１の第三形態例は別例構造を示し、この場合、上記第一形態例の上記リング部３に上記突起嵌脱部６の嵌脱孔部６ａが掛止可能な掛止部３ｂを形成している。
【００３２】
この第三形態例にあっては、図３１の如く、上記リング部３の掛止部３ｂに上記突起嵌脱部６の嵌脱孔部６ａが掛止可能な掛止部３ｂを形成しているから、開栓したキャップ部２を掛け止めすることができ、キャップ部２の紛失を防ぐことができ、又、上記リング部３の掛止部３ｂはリング部３の直径より大きいので、リング部３の回転操作を容易に行うことができる。
【００３３】
尚、本発明は、上記実施の形態例に限られるものではなく、容器体１、キャップ部２、リング部３の材質や形態、ロック機構４の構造等は適宜変更して設計されるものである。
【００３４】
以上の如く、所期の目的を充分達成することができる。
【符号の説明】
【００３５】
Ｋ    口部
Ｓ    千切破断部
Ｒ    閉栓回転
Ｌ    開栓回転
Ｍ    回転操作
１    容器体
１ａ    螺状部
１ｂ    環状顎部
１ｃ    環状頸部
２    キャップ部
２ａ    垂下部
２ｂ    垂下周壁部
３    リング部
３ａ    弾性片
３ｂ    掛止部
４    ロック機構
５    突起部
５ａ    先端部
５ｂ    傾斜上面
６    突起嵌脱部
６ａ    嵌脱孔部
６ｂ    傾斜下面
７    規制突部
８    当接部